(57)【特許請求の範囲】
【請求項１】
複数台の号機を乗場行先階登録に基づいて運行するエレベータシステムにおける表示システムであって
表示装置と、
前記表示装置の設置階に他の階床を行先階とする号機が到着するまでの待ち時間を求める制御装置と、を備え、
前記制御装置は、行先階として前記設置階以外の各階床を順次設定することで、前記待ち時間を、前記設置階以外の全ての階床について求め、
前記表示装置は、前記設置階以外の全ての階床及び各階床についての前記待ち時間に関する情報を表示する、
表示システム。
【請求項２】
前記表示装置は、
前記設置階以外の全ての階床について、階床を示す階床オブジェクトを表示し、かつ、
各階床の階床オブジェクトの表示色の態様を、各階床の待ち時間に応じた態様に設定する、
請求項１に記載の表示システム。
【請求項３】
前記表示装置は、前記階床オブジェクトの表示色の態様と待ち時間との関係を示す凡例をあわせて表示する、
請求項２に記載の表示システム。
【請求項４】
前記表示装置は、
前記設置階以外の全ての階床について、階床を示す階床オブジェクトを表示し、かつ、
各階床オブジェクトの近傍に、各階床オブジェクトに対応する階床についての待ち時間を示す数字を表示する、
請求項１に記載の表示システム。
【請求項５】
前記表示装置は、
前記設置階以外の全ての階床について、階床を示す階床オブジェクトを棒グラフにより表示し、かつ、
各階床の棒グラフの長さを、各階床の待ち時間に応じた長さに設定する、
請求項１に記載の表示システム。
【請求項６】
前記制御装置は、エレベータの運行状況を示す情報に基づいて前記複数台の号機の運行をシミュレーションすることにより、各待ち時間を求める、
請求項１から請求項５のいずれか１項に記載の表示システム。
【請求項７】
前記制御装置は、
前記表示装置の設置階に他の階床を行先階とする号機が到着するまでの待ち時間を求め、
行先階として前記設置階以外の各階床を順次設定することで、前記待ち時間を、前記設置階以外の全ての階床について求め、
各待ち時間は、過去所定時間に求められた複数の待ち時間の平均値である、
請求項１から請求項６のいずれか１項に記載の表示システム。
【請求項８】
請求項１から請求項７のいずれか１項に記載の表示システムを有し、
前記表示装置は、
利用者による行先階の指定を受け付ける操作部を備え、
前記操作部で行先階が指定された場合、指定された行先階をいずれかの号機に割当てることを依頼する信号を、前記複数台の号機の運行を制御する装置に出力する、
行先階登録システム。
【請求項９】
前記表示装置は、前記設置階以外の全ての階床について、階床を示す階床オブジェクトを表示し、
前記操作部は、前記表示装置の画面においてユーザによりタッチされた位置に対応する信号を出力可能であり、
前記表示装置は、いずれかの階床オブジェクトがタッチされ、またはタッチ後に確定操作が行われた場合、タッチされた階床オブジェクトに対応する階床を行先階として設定し、当該行先階をいずれかの号機に割当てることを依頼する信号を出力する、
請求項８に記載の行先階登録システム。
【請求項１０】
複数台の号機と、
請求項８または請求項９に記載のエレベータの行先階登録システムと、を有する、
エレベータシステム。
【発明の詳細な説明】
【技術分野】
【０００１】
本発明は、エレベータにおける表示システム、行先階登録システム、及びエレベータシステムに関する。
【背景技術】
【０００２】
特許文献１は、利用者により行先階（目的階）が登録され、割当号機名を表示する際に、当該割当号機が登録階に到着するまでの時間に応じて割当号機名の表示色を変更したり、到着までの時間を表示したりするエレベータの目的階登録装置を開示している。
【先行技術文献】
【特許文献】
【０００３】
【特許文献１】特開２００７−１９１２６３号公報
【発明の概要】
【０００４】
特許文献１に記載の目的階登録装置では、割当号機の到着までの時間が長い場合、利用者は割当号機の到着を待たざるを得ず、エレベータ利用の利便性の点で課題がある。
【０００５】
本発明は、エレベータ利用の利便性を向上可能な表示システム、行先階登録システム、及びエレベータシステムを提供する。
【課題を解決するための手段】
【０００６】
本発明のエレベータの表示システムは、複数台の号機を乗場行先階登録に基づいて運行するエレベータシステムにおける表示システムである。
表示システムは、
表示装置と、
表示装置の設置階に他の階床を行先階とする号機が到着するまでの待ち時間を求める制御装置と、を備える。
制御装置は、行先階として設置階以外の各階床を順次設定することで、待ち時間を、設置階以外の全ての階床について求める。
表示装置は、設置階以外の全ての階床及び各階床についての待ち時間に関する情報を表示する。
【０００７】
本発明のエレベータの行先階登録システムは、本発明の表示システムを有する。
表示装置は、利用者による行先階の指定を受け付ける操作部を備える。
制御装置は、指定された行先階を複数台の号機のうちのいずれかの号機に割当てて、その運行を制御することが可能である。
表示装置は、操作部で行先階が指定された場合、指定された行先階をいずれかの号機に割当てることを依頼する信号を制御装置に出力する。
【０００８】
本発明のエレベータシステムは、
複数台の号機と、
本発明のエレベータの行先階登録システムと、を有する。
【発明の効果】
【０００９】
本発明によれば、表示装置において、設置階以外の全ての階床及び各階床についての号機が到着するまでの待ち時間に関する情報が表示される。そのため、利用者は、自己の行先階だけでなく他の階床についても、待ち時間の目安を知ることができる。よって、利用者において、行先階を変更する等、エレベータの到着までの時間に応じた適切な対応を取ることが可能となり、利便性が向上する。
【図面の簡単な説明】
【００１０】
【図１】実施形態１におけるエレベータシステムの電気的構成を示すブロック図
【図２】実施形態１における行先階登録装置の電気的構成を示すブロック図
【図３】実施形態１におけるエレベータ制御装置の電気的構成を示すブロック図
【図４】実施形態１における行先階登録装置の表示部の表示例を示す図
【図５】実施形態１における群管理制御装置による表示用の待ち時間の計算処理を示すフローチャート
【図６】実施形態１における群管理制御装置による行先階登録装置への平均待ち時間の送信処理を示すフローチャート
【図７】実施形態１における群管理制御装置による平均待ち時間の計算処理を示すフローチャート
【図８】実施形態１における行先階登録装置による表示処理を示すフローチャート
【図９】実施形態２における行先階登録装置の表示部の表示例を示す図
【図１０】実施形態３における行先階登録装置の表示部の表示例を示す図
【図１１】実施形態４における行先階登録装置の表示部の表示例を示す図
【図１２】実施形態５における行先階登録装置の表示部の表示例を示す図
【発明を実施するための形態】
【００１１】
（実施形態１）
本発明の実施形態について図面を参照して説明する。
【００１２】
１．構成
１−１．エレベータシステムの概要
図１は、実施形態１に係るエレベータシステムの構成を示すブロック図である。本実施形態に係るエレベータシステムは、Ａ号機からＣ号機の３台のエレベータ（以下適宜「号機」という）６０Ａ〜６０Ｃと、群管理制御装置１０と、複数台の行先階登録装置３０と、３台のエレベータ制御装置４０Ａ〜４０Ｃとを有する。行先階登録装置３０は、ビルの各階のエレベータ乗場に配備されている。エレベータ制御装置４０Ａ〜４０Ｃは、エレベータ６０Ａ〜６０Ｃに対応させて設けられている。各エレベータ６０Ａ〜６０Ｃは、かご、巻上機（モータ）、釣合おもり等を有する。なお、各エレベータ６０Ａ〜６０Ｃに関し、特に区別する必要がない場合、適宜単に「エレベータ６０」という。
【００１３】
本実施形態のエレベータシステムでは、呼びの登録方式として乗場行先階登録方式を採用しており、群管理制御装置１０は、各階の行先階登録装置３０において新規に登録された行先階呼び（以下適宜「新規行先階呼び」という）を、複数台のエレベータ６０のいずれかに割り当てる制御を行う。また、群管理制御装置１０は、複数台のエレベータ６０Ａ〜６０Ｃの運行を統合的に制御する。群管理制御装置１０及び行先階登録装置３０は、本発明の表示システム及び行先階登録システムを実現する。
【００１４】
１−２．エレベータシステムの構成
１−２−１．群管理制御装置
群管理制御装置１０は、行先階登録装置３０において利用者により登録（指定）された行先階呼びを、複数台のエレベータ６０Ａ〜６０Ｃのうちのいずれかに割り当てる制御を行う。なお、行先階呼びをエレベータに割り当てることを、以下において、適宜、行先階をエレベータに割り当てるという場合がある。また、群管理制御装置１０は、複数台のエレベータ６０Ａ〜６０Ｃの運行を統合的に制御する。
【００１５】
群管理制御装置１０は、コンピュータを利用して構成され、制御部１１と、記憶部１２と、入出力インタフェース１３とを備える。
【００１６】
記憶部１２は、例えばＲＡＭ、ＲＯＭ、ＨＤＤ、ＳＳＤ等を利用して構成され、プログラム、及び種々のデータを格納している。プログラムは、本実施形態の群管理制御装置１０の各種機能を実現するためのプログラムを含む。
【００１７】
制御部１１は、例えばＣＰＵ、ＭＰＵ等を利用して構成される。制御部１１は、記憶部１２から読み出した上記プログラムに基づいて種々のデータ等を利用して演算処理を行うことにより、群管理制御装置１０における後述する各種の機能を実現する。
【００１８】
入出力インタフェース１３は、例えばＬＡＮアダプタ等を利用して構成される。入出力インタフェース１３は、群管理制御装置１０と、行先階登録装置３０、エレベータ制御装置４０（４０Ａ〜４０Ｃ）との間で各種信号を送受信するためのインタフェースである。入出力インタフェース１３は、制御部１１から出力される信号を所定の形式の信号に変換して行先階登録装置３０、エレベータ制御装置４０に出力する。また、入出力インタフェース１３は、行先階登録装置３０、エレベータ制御装置４０から入力された信号を所定の形式の信号に変換して制御部１１に出力する。
【００１９】
１−２−２．行先階登録装置
図２は、実施形態１における行先階登録装置３０の電気的構成を示すブロック図である。行先階登録装置３０は、利用者による行先階の登録（指定）を受け付ける装置である。行先階登録装置３０は、制御部３１と、記憶部３２と、入出力インタフェース３３と、表示部３４と、操作部３５とを備える。
【００２０】
記憶部３２は、例えばＲＡＭ、ＲＯＭ、ＨＤＤ、ＳＳＤ等を利用して構成され、プログラム、及び種々のデータを格納している。プログラムは、本実施形態の行先階登録装置３０の各種機能を実現するためのプログラムを含む。記憶部３２には、データとして、例えば、行先階登録装置３０の装置識別情報が格納されている。
【００２１】
制御部３１は、例えばＣＰＵ、ＭＰＵ等を利用して構成される。制御部３１は、記憶部３２から読み出した上記プログラムに基づいて種々のデータ等を利用して演算処理を行うことにより、行先階登録装置３０における後述する各種の機能を実現する。
【００２２】
入出力インタフェース３３は、例えばＬＡＮアダプタ等を利用して構成される。入出力インタフェース３３は、行先階登録装置３０と群管理制御装置１０との間で各種信号を送受信するためのインタフェースである。入出力インタフェース３３は、制御部３１から出力された信号を所定の形式の信号に変換して群管理制御装置１０に出力する。また、入出力インタフェース３３は、群管理制御装置１０から入力された信号を所定の形式の信号に変換して制御部３１に出力する。
【００２３】
操作部３５は、利用者が行先階を入力するためのインタフェースである。操作部３５は、操作部３５の操作内容に対応する信号を制御部３１に出力する。
【００２４】
表示部３４は、制御部３１から出力される表示信号に基づく表示を行う。
【００２５】
表示部３４及び操作部３５は、例えば液晶ディスプレイパネルや有機ＥＬディスプレイパネルを利用したタッチパネル式表示装置により一体的に構成されている。
【００２６】
１−２−３．エレベータ制御装置
エレベータ制御装置４０Ａ〜４０Ｃ（Ａ号機制御装置４０Ａ、Ｂ号機制御装置４０Ｂ、Ｃ号機制御装置４０Ｃ）は、群管理制御装置１０からの制御信号にしたがって、対応するエレベータ６０Ａ〜６０Ｃの巻上機（モータ）等の動作を制御することにより、各エレベータ６０Ａ〜６０Ｃのかごの上昇、下降、停止等を制御する。また、エレベータ制御装置４０Ａ〜４０Ｃはそれぞれ、対応するエレベータ６０Ａ〜６０Ｃのかごの位置、走行方向、ドアの開閉状態、荷重等を含むかご状態を検知して、検知したかご状態を示す情報を含むかご状態信号を群管理制御装置１０に出力する。なお、複数台のエレベータ制御装置４０Ａ〜４０Ｃは互いに同一の構成を有する。そのため、構成等の説明において区別する必要がない場合、適宜、各エレベータ制御装置を「エレベータ制御装置４０」という。
【００２７】
図３は、実施形態１におけるエレベータ制御装置４０（４０Ａ〜４０Ｃ）の電気的構成を示すブロック図である。各エレベータ制御装置４０は、制御部４１と、記憶部４２と、入出力インタフェース４３と、を備える。
【００２８】
記憶部４２は、例えばＲＡＭ、ＲＯＭ、ＨＤＤ、ＳＳＤ等を利用して構成され、プログラム、及び種々のデータを格納している。プログラムは、本実施形態のエレベータ制御装置４０の各種機能を実現するためのプログラムを含む。
【００２９】
制御部４１は、例えばＣＰＵ、ＭＰＵ等を利用して構成される。制御部４１は、記憶部４２から読み出した上記プログラムに基づいて種々のデータ等を利用して演算処理を行うことにより、エレベータ制御装置４０における後述する各種の機能を実現する。
【００３０】
入出力インタフェース４３は、例えばＬＡＮアダプタ等を利用して構成される。入出力インタフェース４３は、エレベータ制御装置４０と群管理制御装置１０との間で各種信号を送受信するためのインタフェースである。入出力インタフェース４３は、制御部４１から出力された信号を所定の形式の信号に変換して群管理制御装置１０に出力する。また、入出力インタフェース４３は、群管理制御装置１０から入力された信号を所定の形式の信号に変換して制御部４１に出力する。
【００３１】
１−２−４．エレベータシステムを構成する各装置間の接続
エレベータシステムを構成する各装置間は、情報伝送可能なネットワークＮＷを介して接続されている。ネットワークＮＷは、例えばＥｔｈｅｒｎｅｔ（登録商標）等のＬＡＮ（Ｌｏｃａｌ  Ａｒｅａ  Ｎｅｔｗｏｒｋ）により構成され、各装置間での各種の情報の送受信は、ＴＣＰ／ＩＰ等の各種のプロトコルにしたがって行われる。ネットワークＮＷ上に接続されている前述の各装置は、装置間において、各装置が有する入出力インタフェースにより、ＴＣＰ／ＩＰ等の各種のプロトコルにしたがった通信による信号伝送（情報伝送）が可能である。なお、エレベータシステムを構成する各装置間は、他の信号形式のネットワークや、専用の信号網を介して接続されてもよい。
【００３２】
２．動作
２−１．動作の概要
本実施形態に係るエレベータの群管理システムの動作の概要について説明する。本システムは、行先階登録装置３０によって利用者の行先階の登録を受け付ける。行先階登録装置３０で登録を受け付けると、登録された行先階に係る行先階呼びを、群管理制御装置１０において、複数台のエレベータ６０Ａ〜６０Ｃのうちのいずれかに割り当てる。さらに、エレベータ制御装置４０において、登録された行先階を割り当てた割当号機を、行先階の登録が行われた登録階（出発階）から、登録された行先階へ走行させるように運行制御を行う。また、登録を受け付けた行先階登録装置３０は、割当号機を示す割当号機情報を群管理制御装置１０から取得し、割当号機を示す情報を表示する。
【００３３】
ここで、本実施形態において、群管理制御装置１０（制御装置）は、行先階登録装置３０（表示装置）の設置階に他の階床を行先階とする号機が到着するまでの平均待ち時間ＡＷＴ（ｉ，ｊ）を求める。また、群管理制御装置１０は、行先階として設置階以外の各階床を順次設定することで、平均待ち時間ＡＷＴ（ｉ，ｊ）を、設置階以外の全ての階床について求める。そして、行先階登録装置３０は、群管理制御装置１０で求められた平均待ち時間ＡＷＴ（ｉ，ｊ）に基づいて、設置階以外の全ての階床及び各階床についての待ち時間に関する情報を表示する。
【００３４】
２−２．群管理制御装置の動作
２−２−１．エレベータの割当動作
群管理制御装置１０は、制御部１１によってエレベータの割当処理を行う。エレベータの割当処理は、行先階登録装置３０で登録された行先階を、複数台のエレベータ６０Ａ〜６０Ｃのうちのいずれかのエレベータに割り当てる処理である。具体的に、制御部１１は、行先階登録装置３０から入出力インタフェース１３を介して割当依頼信号を受信すると、エレベータの割当処理を開始する。割当依頼信号は、行先階登録装置３０で登録された行先階を、複数台のエレベータ６０Ａ〜６０Ｃのうちのいずれかのエレベータに割り当てることを要求する信号である。割当依頼信号は、利用者によって登録された行先階を示す行先階情報と、当該行先階の登録操作が行われた階（出発階）を示す出発階情報、および当該行先階の登録が行われた行先階登録装置３０を識別する装置識別情報とを含む。なお、割当依頼信号が示すこれらの情報を以下適宜「割当依頼情報」という。制御部１１は、割当依頼情報が示す出発階及び行先階を、エレベータ６０Ａ〜６０Ｃのうちのいずれかに、エレベータ６０Ａ〜６０Ｃ（１〜３号機）毎に求めた評価値に基づいて割り当てる。
【００３５】
具体的に、制御部１１はまず、各エレベータ６０の運行情報に基づいて、行先階を割り当てるエレベータ６０を選択するための評価値を、エレベータ６０Ａ〜６０Ｃ毎に算出する。ここで、各エレベータ６０Ａ〜６０Ｃの運行情報は、例えば、各エレベータ６０Ａ〜６０Ｃのかご状態（かごの位置、走行方向、ドアの開閉状態、荷重等を含む）、予測される待ち時間（現在から割当号機が出発階に到着するまでの時間）、予測されるサービス完了時間（現在から割当号機が行先階に到着するまでの時間）などを示す情報を含む。上記評価値の算出後、制御部１１は、エレベータ６０Ａ〜６０Ｃのうちから例えば最も小さい評価値を有するエレベータを選択し、行先階を、選択したエレベータに割り当てる。
【００３６】
また、制御部１１は、割り当てたエレベータ６０（割当号機）に対応するエレベータ制御装置４０に、割り当てた新規行先階呼びの出発階から行先階への走行を指示する制御信号を出力する。
【００３７】
２−２−２．行先階登録装置に表示させる待ち時間の計算動作
群管理制御装置１０の制御部１１は、現在登録されているが未応答である全ての行先階呼びを考慮して、出発階ｉ及び行先階ｊの行先階呼びが発生したと仮定し、前述した実割当時と同様の評価を行って（待ち時間等の計算を行って）割当号機を決定する。このとき、群管理制御装置１０の制御部１１は、出発階ｉ及び行先階ｊのｉ及びｊをそれぞれ順次変更することで、全ての階床間において割当号機の決定を行う。群管理制御装置１０の制御部１１は、割当号機の決定において用いた待ち時間ＷＴ（ｔ，ｉ，ｊ）をそれぞれ少なくとも過去所定時間Ｙ分記憶する。なお、これらの割当号機の決定は、待ち時間ＷＴ（ｔ，ｉ，ｊ）の計算のためのものであり、実際の割当てが行われるわけではない。
【００３８】
群管理制御装置１０の制御部１１は、上記の待ち時間ＷＴ（ｔ，ｉ，ｊ）のそれぞれについて、過去所定時間Ｙ分の平均値を求め、平均待ち時間ＡＷＴ（ｉ，ｊ）として記憶する。所定時間Ｙは、例えば５分（３００秒）である。
【００３９】
２−３．行先階登録装置の動作
２−３−１．割当依頼動作
行先階登録装置３０は、操作部３５において、利用者による行先階の登録操作を受け付ける。行先階登録装置３０の制御部３１は、利用者により登録された行先階を示す行先階情報と、その行先階を登録する操作が行われた行先階登録装置３０の設置階を示す出発階情報と、当該行先階登録装置３０を識別する装置識別情報とを含む割当依頼信号を生成する。行先階登録装置３０の制御部３１は、生成した割当依頼信号を、群管理制御装置１０に出力する。
【００４０】
また、行先階登録装置３０の制御部３１は、上述の割当依頼信号の応答として、群管理制御装置１０から、割当号機を示す割当号機情報を受信すると、利用者によって登録された行先階と、割当号機情報が示す割当号機を示す情報とを、表示部３４に表示させる。これによって、行先階登録装置３０は、登録された行先階が、表示された割当号機に割り当てられたことを利用者に報知する。
【００４１】
２−３−２．待ち時間に関する情報の表示動作
行先階登録装置３０（表示装置）は、自登録装置の設置階以外の全ての階床及び各階床についての待ち時間に関する情報を表示する。
【００４２】
図４は、実施形態１における行先階登録装置３０の表示部３４の表示例を示す図である。本例では、行先階登録装置３０の表示部３４において、当該行先階登録装置３０の設置階以外の全階床の階床ボタンが表示される。行先階登録装置３０の制御部３１は、各階床ボタンの表示色の濃度を、階床の平均待ち時間ＡＷＴ（ｉ，ｊ）に基づく区分に応じた濃度に設定する。より具体的には、行先階登録装置３０の制御部３１は、平均待ち時間ＡＷＴ（ｉ，ｊ）を、１５秒未満の第１の区分、１５〜３０秒の第２の区分、３０〜４５秒の第３の区分、４５〜６０秒の第４の区分、６０秒以上の第５の区分の５段階に分類し、階床ボタンの表示色の濃度を、区分に応じた濃度に設定する。図４の例では、平均待ち時間ＡＷＴ（ｉ，ｊ）が長い区分ほど、表示色の濃度を濃くしている。具体的に、２階、３階、４階、６階、７階、９階、１０階、１１階、１２階の平均待ち時間ＡＷＴ（ｉ，ｊ）が第１の区分の１５秒未満に属することが第１の区分に対応する最も薄い濃度で示されている。また、８階、１３階の平均待ち時間ＡＷＴ（ｉ，ｊ）が第４の区分の４５〜６０秒に属することが第４の区分に対応する濃度で示されている。また、１階の平均待ち時間ＡＷＴ（ｉ，ｊ）が、第５の区分の６０秒以上であることが第５の区分に対応する最も濃い濃度で示されている。
【００４３】
２−４．具体的動作
実施形態１に係るエレベータの群管理制御装置１０により行われる表示用の待ち時間の計算処理について説明する。図５は、実施形態１における群管理制御装置１０による待ち時間の計算処理を示すフローチャートである。
【００４４】
群管理制御装置１０の制御部１１は、前回待ち時間ＷＴ（ｔ，ｉ，ｊ）の計算を行ってから所定時間Ｔが経過したか否かを判断する（Ｓ１１）。所定時間Ｔは、例えば５秒である。この場合、待ち時間ＷＴ（ｔ，ｉ，ｊ）の計算が１分間で１２回行われることとなる。
【００４５】
所定時間Ｔが経過していない場合（Ｓ１１でＮＯ）、群管理制御装置１０の制御部１１は、ステップＳ１１の判断を再度実行する。
【００４６】
所定時間Ｔが経過した場合（Ｓ１１でＹＥＳ）、群管理制御装置１０の制御部１１は、時刻ｔとして現在時刻を設定する（Ｓ１２）。
【００４７】
群管理制御装置１０の制御部１１は、出発階ｉとして最下階を設定する（Ｓ１３）。
【００４８】
群管理制御装置１０の制御部１１は、行先階ｊとして最下階を設定する（Ｓ１４）。
【００４９】
群管理制御装置１０の制御部１１は、出発階ｉと行先階ｊとが等しいか否かを判断する（Ｓ１５）。
【００５０】
出発階ｉと行先階ｊとが等しくない場合（Ｓ１５でＮＯ）、群管理制御装置１０の制御部１１は、出発階ｉ、行先階ｊの行先階呼びが発生したと仮定して、割当号機を決定する（Ｓ１６）。具体的に、群管理制御装置１０は、現在登録されているが未応答である全ての行先階呼びを考慮して、出発階ｉ及び行先階ｊの行先階呼びが発生したと仮定し、前述した実割当時と同様の評価を行って（待ち時間等の計算を行って）割当号機を決定する。なお、これらの割当号機の決定は、待ち時間ＷＴ（ｔ，ｉ，ｊ）の計算のためのものであり、実際の割当てが行われるわけではない。
【００５１】
群管理制御装置１０の制御部１１は、出発階ｉ、行先階ｊの行先階呼びに対する割当号機が出発階ｉに到着するまでの、求めた待ち時間を待ち時間ＷＴ（ｔ，ｉ，ｊ）として設定する（Ｓ１７）。なお、待ち時間ＷＴ（ｔ，ｉ，ｊ）としては、ステップＳ１６において割当号機の決定のために割当シミュレーションを行ったときに求めた待ち時間ＷＴ（ｔ，ｉ，ｊ）を用いればよい。
【００５２】
群管理制御装置１０の制御部１１は、行先階ｊとして、現在の行先階ｊに１を加算した値を設定する（Ｓ１８）。
【００５３】
出発階ｉと行先階ｊとが等しい場合（Ｓ１５でＹＥＳ）、割当号機の決定に関する処理を行う必要がないので、群管理制御装置１０の制御部１１は、ステップＳ１６、Ｓ１７の処理をバイパスし、ステップＳ１８の処理を実行する。
【００５４】
群管理制御装置１０の制御部１１は、行先階ｊが最上階よりも上の階か否かを判断する（Ｓ１９）。つまり、群管理制御装置１０の制御部１１は、全ての階床を行先階として設定してステップＳ１７までの処理が完了したか否かを判断する。
【００５５】
行先階ｊが最上階よりも上の階でない場合（Ｓ１９でＮＯ）、群管理制御装置１０の制御部１１は、ステップＳ１５以後を再度実行する。
【００５６】
行先階ｊが最上階よりも上の階である場合（Ｓ１９でＹＥＳ）、群管理制御装置１０の制御部１１は、出発階ｉとして、現在の出発階ｉに１を加算した値を設定する（Ｓ２０）。
【００５７】
群管理制御装置１０の制御部１１は、出発階ｉが最上階よりも上の階か否かを判断する（Ｓ２１）。つまり、群管理制御装置１０の制御部１１は、全ての階床を出発階として設定してステップＳ１７までの処理が完了したか否かを判断する。
【００５８】
出発階ｉが最上階よりも上の階でない場合（Ｓ２１でＮＯ）、群管理制御装置１０の制御部１１は、ステップＳ１４以後を再度実行する。
【００５９】
出発階ｉが最上階よりも上の階である場合（Ｓ２１でＹＥＳ）、群管理制御装置１０の制御部１１は、ステップＳ１１以後を再度実行する。
【００６０】
図６は、実施形態１における群管理制御装置による行先階登録装置３０への平均待ち時間ＡＷＴ（ｉ，ｊ）の送信処理を示すフローチャートである。
【００６１】
群管理制御装置１０の制御部１１は、前回平均待ち時間ＡＷＴ（ｉ，ｊ）の送信を行ってから所定時間Ｘが経過したか否かを判断する（Ｓ３１）。所定時間Ｘは、例えば６０秒である。
【００６２】
所定時間Ｘが経過した場合（Ｓ３１でＹＥＳ）、群管理制御装置１０の制御部１１は、平均待ち時間ＡＷＴ（ｉ，ｊ）を計算する（Ｓ３２）。平均待ち時間ＡＷＴ（ｉ，ｊ）の計算の具体例については後述する。
【００６３】
群管理制御装置１０の制御部１１は、設置階ｍとして最下階を設定する（Ｓ３３）。
【００６４】
群管理制御装置１０の制御部１１は、ロケーションｋとして１を設定する（Ｓ３４）。ロケーションとは、設置階ｍに配置されている行先階登録装置３０を区別するための、１から始まる整数の通し番号である。１つの階床には、行先階登録装置３０が複数台設置される場合があり、これらを区別するために、通し番号としてのロケーションが設定されている。
【００６５】
群管理制御装置１０の制御部１１は、設置階ｍ、ロケーションｋの行先階登録装置３０に平均待ち時間ＡＷＴ（ｉ，ｊ）を示す情報を送信する（Ｓ３５）。なお、平均待ち時間ＡＷＴ（ｉ，ｊ）を示す情報には、ステップＳ３２で求めた全ての階床間の平均待ち時間ＡＷＴ（ｉ，ｊ）が含まれていてもよいし、全ての出発階のうち、出発階が設置階ｍについての平均待ち時間ＡＷＴ（ｉ，ｊ）のみが含まれてもよい。出発階が設置階ｍについての平均待ち時間ＡＷＴ（ｉ，ｊ）のみにすれば、送信データ量を少なくすることができる。
【００６６】
群管理制御装置１０の制御部１１は、設置階ｍについて全てのロケーションｋに対して平均待ち時間ＡＷＴ（ｉ，ｊ）を示す情報の送信が完了したか否かを判断する（Ｓ３６）。群管理制御装置１０の記憶部１２には、例えば、各設置階に対応付けてロケーションの個数が格納されており、群管理制御装置１０の制御部１１は、ロケーションｋの値が設置階ｍにおけるロケーションの個数に達したか否かを判断し、達した場合、全てのロケーションｋに対して平均待ち時間ＡＷＴ（ｉ，ｊ）を示す情報の送信が完了したと判断する。
【００６７】
平均待ち時間ＡＷＴ（ｉ，ｊ）を示す情報の送信が完了していない場合（Ｓ３６でＮＯ）、群管理制御装置１０の制御部１１は、ロケーションｋとして、現在のロケーションｋに１を加算した値を設定する（Ｓ３７）。
【００６８】
平均待ち時間ＡＷＴ（ｉ，ｊ）を示す情報の送信が完了した場合（Ｓ３６でＹＥＳ）、群管理制御装置１０の制御部１１は、設置階ｍとして、現在の設置階ｍに１を加算した値を設定する（Ｓ３８）。
【００６９】
群管理制御装置１０の制御部１１は、設置階ｍが最上階よりも上の階か否かを判断する（Ｓ３９）。
【００７０】
設置階ｍが最上階よりも上の階でない場合（Ｓ３９でＮＯ）、群管理制御装置１０の制御部１１は、ステップＳ３４以後を再度実行する。
【００７１】
設置階ｍが最上階よりも上の階である場合（Ｓ３９でＹＥＳ）、群管理制御装置１０の制御部１１は、ステップＳ３１以後を再度実行する。
【００７２】
図７は、実施形態１における群管理制御装置による平均待ち時間ＡＷＴ（ｉ，ｊ）の計算処理を示すフローチャートである。
【００７３】
群管理制御装置１０の制御部１１は、出発階ｉとして最下階を設定する（Ｓ５１）。
【００７４】
群管理制御装置１０の制御部１１は、行先階ｊとして最下階を設定する（Ｓ５２）。
【００７５】
群管理制御装置１０の制御部１１は、出発階ｉと行先階ｊとが等しいか否かを判断する（Ｓ５３）。
【００７６】
出発階ｉと行先階ｊとが等しくない場合（Ｓ５３でＮＯ）、群管理制御装置１０の制御部１１は、出発階ｉ、行先階ｊに関し、過去所定時間Ｙの待ち時間ＷＴ（ｔ，ｉ，ｊ）の平均値である平均待ち時間ＡＷＴ（ｉ，ｊ）を求める（Ｓ５４）。所定時間Ｙは、例えば５分（３００秒）である。
【００７７】
群管理制御装置１０の制御部１１は、行先階ｊとして、現在の行先階ｊに１を加算した値を設定する（Ｓ５５）。
【００７８】
出発階ｉと行先階ｊとが等しい場合（Ｓ５３でＹＥＳ）、平均待ち時間ＡＷＴ（ｉ，ｊ）を求める必要がないので、群管理制御装置１０の制御部１１は、ステップＳ５４の処理をバイパスし、ステップＳ５５の処理を実行する。
【００７９】
群管理制御装置１０の制御部１１は、行先階ｊが最上階よりも上の階か否かを判断する（Ｓ５６）。つまり、群管理制御装置１０の制御部１１は、全ての階床についてステップＳ５４の処理が完了したか否かを判断する。
【００８０】
行先階ｊが最上階よりも上の階でない場合（Ｓ５６でＮＯ）、群管理制御装置１０の制御部１１は、ステップＳ５３以後の処理を再度実行する。
【００８１】
行先階ｊが最上階よりも上の階である場合（Ｓ５６でＹＥＳ）、群管理制御装置１０の制御部１１は、出発階ｉとして、現在の出発階ｉに１を加算した値を設定する（Ｓ５７）。
【００８２】
群管理制御装置１０の制御部１１は、出発階ｉが最上階よりも上の階か否かを判断する（Ｓ５８）。つまり、群管理制御装置１０の制御部１１は、全ての階床を出発階として設定してステップＳ５４の処理が完了したか否かを判断する。
【００８３】
出発階ｉが最上階よりも上の階でない場合（Ｓ５８でＮＯ）、群管理制御装置１０の制御部１１は、ステップＳ５２以後を再度実行する。
【００８４】
出発階ｉが最上階よりも上の階である場合（Ｓ５８でＹＥＳ）、群管理制御装置１０の制御部１１は、本フローチャートによる処理を終了する。
【００８５】
図８は、実施形態１における行先階登録装置３０による表示処理を示すフローチャートである。
【００８６】
行先階登録装置３０の制御部３１は、群管理制御装置１０から平均待ち時間ＡＷＴ（ｉ，ｊ）を示す情報を受信したか否かを判断する（Ｓ７１）。
【００８７】
平均待ち時間ＡＷＴ（ｉ，ｊ）を示す情報を受信していない場合（Ｓ７１でＮＯ）、行先階登録装置３０の制御部３１は、ステップＳ７１の判断を再度実行する。
【００８８】
平均待ち時間ＡＷＴ（ｉ，ｊ）を示す情報を受信した場合（Ｓ７１でＹＥＳ）、行先階登録装置３０の制御部３１は、受信した平均待ち時間ＡＷＴ（ｉ，ｊ）を記憶する（Ｓ７２）。
【００８９】
行先階登録装置３０の制御部３１は、階床ｎとして最下階を設定する（Ｓ７３）。
【００９０】
行先階登録装置３０の制御部３１は、階床ｎが自登録装置の設置階か否かを判断する（Ｓ７４）。各階床に設置されている行先階登録装置３０の記憶部３２には、自登録装置の設置階を示す情報が格納されており、制御部３１は、階床ｎと自登録装置の設置階とを比較し、同じである場合、階床ｎが自登録装置の設置階であると判断する。
【００９１】
階床ｎが自登録装置の設置階でない場合（Ｓ７４でＮＯ）、行先階登録装置３０の制御部３１は、表示部３４において、平均待ち時間ＡＷＴ（ｉ，ｊ）に基づいて、階床ｎ及びその平均待ち時間ＡＷＴ（ｉ，ｊ）に関する情報を表示する（Ｓ７５）。表示態様の具体例については後述する。
【００９２】
行先階登録装置３０の制御部３１は、階床ｎとして、現在の階床ｎに１を加算した値を設定する（Ｓ７６）。
【００９３】
階床ｎが自登録装置の設置階である場合（Ｓ７４でＹＥＳ）、階床ｎ及びその平均待ち時間ＡＷＴ（ｉ，ｊ）に関する情報を表示する必要がないので、行先階登録装置３０の制御部３１は、ステップＳ７５の処理をバイパスし、ステップＳ７６の処理を実行する。
【００９４】
行先階登録装置３０の制御部３１は、階床ｎが最上階よりも上の階か否かを判断する（Ｓ７７）。つまり、行先階登録装置３０の制御部３１は、全ての階床についての上記の処理が完了したか否かを判断する。
【００９５】
階床ｎが最上階よりも上の階でない場合（Ｓ７７でＮＯ）、行先階登録装置３０の制御部３１は、ステップＳ７４以後の処理を再度実行する。
【００９６】
階床ｎが最上階よりも上の階である場合（Ｓ７７でＹＥＳ）、行先階登録装置３０の制御部３１は、ステップＳ７１以後の処理を再度実行する。
【００９７】
３.作用
本実施形態では、行先階登録装置３０（表示装置）において、平均待ち時間ＡＷＴ（ｉ，ｊ）に基づいて、設置階以外の全ての階床及び各階床についての待ち時間に関する情報が表示される。そのため、利用者は、自己の行先階だけでなく他の階床について、待ち時間の目安を知ることができる。したがって、利用者において、エレベータの到着までの時間に応じた適切な対応を取ることが可能となり、利便性が向上する。また、表示は、一定周期で自動的に更新されながら行われるので、エレベータの利用者が、エレベータを利用するために行先階登録装置３０の位置に来たときには、最新の待ち時間に関する情報が行先階登録装置３０の表示部３４に表示されている。したがって、利用者は、行先階登録装置３０を操作しなくても、自己の行先階に向かう号機が到着するまでの待ち時間の目安を迅速に知ることができる。
【００９８】
前述の図４を参照してより具体的に説明する。図４は、現在利用者がいる階が５階である場合を示している。利用者の目的階が１階であるものとして、１階への平均待ち時間ＡＷＴ（ｉ，ｊ）（待ち時間）は６０秒以上である。一方、隣接階である２階への平均待ち時間ＡＷＴ（ｉ，ｊ）（待ち時間）は１５秒以下である。したがって、利用者は、例えば２階までエレベータで移動して、２階から１階までは階段を利用するなどの経路をとること等の判断が可能となる。同様に、利用者の目的階が１３階であるものとして、１３階への平均待ち時間ＡＷＴ（ｉ，ｊ）（待ち時間）は４５〜６０秒である。一方、隣接階である１２階への平均待ち時間ＡＷＴ（ｉ，ｊ）（待ち時間）は１５秒以下である。したがって、利用者は、例えば１２階までエレベータで移動して、１２階から１３階までは階段を利用するなどの経路をとること等の判断が可能となる。
【００９９】
ここで、利用者は、行先階呼びを登録してもエレベータがなかなか到着しない場合、エレベータの利用を諦め、階段を利用する場合がある。この場合、登録された行先階呼びは無駄呼びとなり、エレベータの運行効率を低下させる。しかし、本実施形態では、行先階登録装置３０の表示部３４を見ただけで待ち時間の目安がわかるため、長い待ち時間を嫌う利用者は、行先階登録装置３０を操作することなく、階段を利用する可能性が高くなる。そのため、利用者における長待ちのストレスの軽減、及び無駄呼びの低減が期待できる。
【０１００】
（実施形態２〜５）
実施形態２〜５において、行先階登録装置３０の表示部３４における他の表示例を説明する。
【０１０１】
図９は、実施形態２における行先階登録装置３０の表示部３４の表示例を示す図である。本実施形態では、実施形態１同様に、行先階登録装置３０の表示部３４には、当該行先階登録装置３０の設置階以外の全階床分の階床ボタンが表示される。行先階登録装置３０の制御部３１は、各階床ボタンの上に、平均待ち時間ＡＷＴ（ｉ，ｊ）が属する区分の待ち時間の範囲を示す数字等の文字を表示する。具体的に、行先階登録装置３０の制御部３１は、平均待ち時間ＡＷＴ（ｉ，ｊ）が第１の区分（１５秒未満）に属する場合、「１５秒未満」という文字を表示し、平均待ち時間ＡＷＴ（ｉ，ｊ）が第２の区分（１５〜３０秒）に属する場合、「１５〜３０秒」という文字を表示し、平均待ち時間ＡＷＴ（ｉ，ｊ）が第３の区分（３０〜４５秒）に属する場合、「３０〜４５秒」という文字を表示し、平均待ち時間ＡＷＴ（ｉ，ｊ）が第４の区分（４５〜６０秒）に属する場合、「４５〜６０秒」という文字を表示し、平均待ち時間ＡＷＴ（ｉ，ｊ）が第５の区分（６０秒以上）に属する場合、「６０秒以上」という文字を表示する。図９の例では、２階、３階、４階、６階、７階、９階、１０階、１１階、１２階の平均待ち時間ＡＷＴ（ｉ，ｊ）が第１の区分の１５秒未満に属することが「１５秒未満」という文字で示されている。また、８階、１３階の平均待ち時間ＡＷＴ（ｉ，ｊ）が、第４の区分の４５〜６０秒に属することが「４５〜６０秒」という文字で示されている。また、１階の平均待ち時間ＡＷＴ（ｉ，ｊ）が、第５の区分の６０秒以上であることが「６０秒以上」という文字で示されている。
【０１０２】
図１０は、実施形態３における行先階登録装置３０の表示部３４の表示例を示す図である。本実施形態では、実施形態１同様に、行先階登録装置３０の表示部３４には、当該行先階登録装置３０の設置階以外の全階床分の階床ボタンが表示される。また、行先階登録装置３０の制御部３１は、各階床ボタンの表示色を、階床の平均待ち時間ＡＷＴ（ｉ，ｊ）に基づく区分に応じた色に設定するとともに、色と平均待ち時間ＡＷＴ（ｉ，ｊ）との関係を示す凡例を表示する。具体的に、行先階登録装置３０の制御部３１は、平均待ち時間ＡＷＴ（ｉ，ｊ）が第１の区分（１５秒未満）に属する場合、階床ボタンを白色で表示し、平均待ち時間ＡＷＴ（ｉ，ｊ）が第２の区分（１５〜３０秒）に属する場合、階床ボタンを青色で表示し、平均待ち時間ＡＷＴ（ｉ，ｊ）が第３の区分（３０〜４５秒）に属する場合、階床ボタンを黄色で表示し、平均待ち時間ＡＷＴ（ｉ，ｊ）が第４の区分（４５〜６０秒）に属する場合、階床ボタンを桃色で表示し、平均待ち時間ＡＷＴ（ｉ，ｊ）が第５の区分（６０秒以上）に属する場合、階床ボタンを赤色で表示する。図１０の例では、２階、３階、４階、６階、７階、９階、１０階、１１階、１２階の平均待ち時間ＡＷＴ（ｉ，ｊ）が第１の区分の１５秒未満に属することが、階床ボタンを青色で表示することで示されている。また、８階、１３階の平均待ち時間ＡＷＴ（ｉ，ｊ）が、第４の区分の４５〜６０秒に属することが、階床ボタンをピンクで表示することで示されている。また、１階の平均待ち時間ＡＷＴ（ｉ，ｊ）が、第５の区分の６０秒以上であることが、階床ボタンを赤色で表示することで示されている。
【０１０３】
図１１は、実施形態４における行先階登録装置３０の表示部３４の表示例を示す図である。本実施形態では、行先階登録装置３０の表示部３４には、テンキーと、当該行先階登録装置３０の設置階以外の全階床分の矩形状の階床表示ボックス（階床オブジェクト）が表示される。また、行先階登録装置３０の制御部３１は、各階床表示ボックスの表示色の濃度を、階床の平均待ち時間ＡＷＴ（ｉ，ｊ）に基づく区分に応じた濃度に設定する。この濃度については、実施形態１における階床ボタンの濃度同様に設定される。図１１の例では、２階、３階、４階、６階、７階、９階、１０階、１１階、１２階の平均待ち時間ＡＷＴ（ｉ，ｊ）が第１の区分の１５秒未満に属することが、階床表示ボックスの濃度を第１の区分に対応する最も薄い濃度で表示することで示されている。また、８階、１３階の平均待ち時間ＡＷＴ（ｉ，ｊ）が第４の区分の４５〜６０秒に属することが、階床表示ボックスの濃度を第４の区分に対応する濃度で表示することで示されている。また、１階の平均待ち時間ＡＷＴ（ｉ，ｊ）が第５の区分の６０秒以上であることが、階床表示ボックスの濃度を第５の区分に対応する最も濃い濃度で表示することで示されている。なお、本実施形態では、操作部３５としてのテンキーは、ハードウェア式のテンキーにより構成されてもよい。また、各階床の階床表示ボックスをタッチすることで行先階指定を行えるようにしてもよい。これにより、直感的な操作が可能となる。
【０１０４】
図１２は、実施形態５における行先階登録装置３０の表示部３４の表示例を示す図である。本実施形態では、行先階登録装置３０の表示部３４には、テンキーと、当該行先階登録装置３０の設置階以外の全階床分の棒グラフが表示される。また、行先階登録装置３０の制御部３１は、各階床の棒グラフの長さを、階床の平均待ち時間ＡＷＴ（ｉ，ｊ）に基づく区分に応じた長さに設定する。図１２の例では、区分の平均待ち時間ＡＷＴ（ｉ，ｊ）が長いほど、棒グラフの長さを長くする。図１２の例では、２階、３階、４階、６階、７階、９階、１０階、１１階、１２階の平均待ち時間ＡＷＴ（ｉ，ｊ）が第１の区分の１５秒未満に属することが、棒グラフの長さを第１の区分に対応する最も短い長さで表示することで示されている。また、８階、１３階の平均待ち時間ＡＷＴ（ｉ，ｊ）が第４の区分の４５〜６０秒に属することが、棒グラフの長さを第４の区分に対応する長さで表示することで示されている。また、１階の平均待ち時間ＡＷＴ（ｉ，ｊ）が第５の区分の６０秒以上であることが、棒グラフの長さを第５の区分に対応する最も長い長さで表示することで示されている。なお、本実施形態では、操作部３５としてのテンキーは、ハードウェア式のテンキーにより構成されてもよい。また、各階床の棒グラフをタッチすることで行先階指定を行えるようにしてもよい。これにより、直感的な操作が可能となる。
【０１０５】
４．まとめ
（１）実施形態１〜５における表示システムは、複数台の号機を乗場行先階登録に基づいて運行するエレベータシステムにおける表示システムである。
表示システムは、
行先階登録装置３０（表示装置）と、
行先階登録装置３０（表示装置）の設置階に他の階床を行先階とする号機が到着するまでの平均待ち時間ＡＷＴ（ｉ，ｊ）（待ち時間）を求める群管理制御装置１０（制御装置）と、を備える。
群管理制御装置１０（制御装置）は、行先階として設置階以外の各階床を順次設定することで、平均待ち時間ＡＷＴ（ｉ，ｊ）（待ち時間）を、設置階以外の全ての階床について求める。
行先階登録装置３０（表示装置）は、設置階以外の全ての階床及び各階床についての待ち時間に関する情報を表示する。
【０１０６】
これにより、行先階登録装置３０（表示装置）において、設置階以外の全ての階床及び各階床についての待ち時間に関する情報が表示される。そのため、利用者は、自己の行先階だけでなく他の階床についても、待ち時間の目安を知ることができる。よって、利用者において、行先階を変更する等、エレベータの到着までの時間に応じた適切な対応を取ることが可能となり、利便性が向上する。
【０１０７】
（２）実施形態１、３、４において、
行先階登録装置３０（表示装置）は、
設置階以外の全ての階床について、階床を示す階床オブジェクトを表示し、かつ、
各階床の階床オブジェクトの表示色の態様を、各階床の待ち時間に応じた態様に設定する。
【０１０８】
これにより、利用者に、直感的に待ち時間の目安を把握させることができる。
【０１０９】
（３）実施形態１、３において、
行先階登録装置３０（表示装置）は、階床オブジェクトの表示色の態様と待ち時間との関係を示す凡例をあわせて表示する、
【０１１０】
これにより、利用者に、待ち時間の目安を適切に把握させることできる。
【０１１１】
（４）実施形態２において、
行先階登録装置３０（表示装置）は、
設置階以外の全ての階床について、階床を示す階床オブジェクトを表示し、かつ、
各階床オブジェクトの近傍に、各階床オブジェクトに対応する階床についての待ち時間を示す数字を表示する。
【０１１２】
これにより、利用者に、待ち時間の目安を明確に把握させることできる。
【０１１３】
（５）実施形態５において、
行先階登録装置３０（表示装置）は、
設置階以外の全ての階床について、階床を示す階床オブジェクトを棒グラフにより表示し、かつ、
各階床の棒グラフの長さを、各階床の待ち時間に応じた長さに設定する。
【０１１４】
これにより、利用者に、直感的に待ち時間の長短を把握させることができる。
【０１１５】
（６）実施形態１〜５において、
群管理制御装置１０（制御装置）は、エレベータの運行状況を示す情報に基づいて複数台の号機の運行をシミュレーションすることにより、各平均待ち時間ＡＷＴ（ｉ，ｊ）（待ち時間）を求める。
【０１１６】
これにより、実際の運行状況に応じた待ち時間に関する情報を表示できる。そのため、利用者においてより適切な判断を行うことができるようになる。
【０１１７】
（７）実施形態１〜５において、
群管理制御装置１０（制御装置）は、
行先階登録装置３０（表示装置）の設置階に他の階床を行先階とする号機が到着するまでの待ち時間ＷＴ（ｔ，ｉ，ｊ）を求め、
行先階として設置階以外の各階床を順次設定することで、待ち時間ＷＴ（ｔ，ｉ，ｊ）を、設置階以外の全ての階床について求め、
各平均待ち時間ＡＷＴ（ｉ，ｊ）（待ち時間）は、過去所定時間Ｙに求められた複数の待ち時間ＷＴ（ｔ，ｉ，ｊ）の平均値である。
【０１１８】
これにより、一時的な変動等に左右されない待ち時間についての情報を利用者に提供することができる。
【０１１９】
（８）実施形態１〜５の行先階登録システムは、
実施形態１〜５の表示システムを有し、
行先階登録装置３０（表示装置）は、
利用者による行先階の指定を受け付ける操作部３５を備え、
操作部３５で行先階が指定された場合、指定された行先階をいずれかの号機に割当てることを依頼する信号を、複数台の号機の運行を制御する群管理制御装置１０（装置）に出力する。
【０１２０】
これにより、利用者において、行先階登録装置３０の表示部３４の待ち時間に関する表示に基づいて行先階の登録を行うことができるようになる。
【０１２１】
（９）実施形態１〜５において、
行先階登録装置３０（表示装置）は、設置階以外の全ての階床について、階床を示す階床オブジェクトを表示し、
操作部３５は、行先階登録装置３０（表示装置）の画面においてユーザによりタッチされた位置に対応する信号を出力可能であり、
行先階登録装置３０（表示装置）は、いずれかの階床オブジェクトがタッチされ、またはタッチ後に確定操作が行われた場合、タッチされた階床オブジェクトに対応する階床を行先階として設定し、当該行先階をいずれかの号機に割当てることを依頼する信号出力する。
【０１２２】
これにより、利用者において、行先階の登録を迅速に行うことができるようになる。
【０１２３】
（１０）実施形態１〜５のエレベータシステムは、
複数台の号機と、
実施形態１〜５の行先階登録システムと、を有する。
【０１２４】
これにより、複数台のエレベータを有するエレベータシステムにおいて、上記の作用及び効果が得られる。
【０１２５】
（その他の実施形態）
前記実施形態では、本発明のエレベータの表示システムにおける表示装置として、行先階登録のための操作部３５を備えた行先階登録装置３０を例示した。しかし、本発明の表示システムにおける表示装置は、行先階登録のための操作部３５を備えていることは必須ではない。例えば、表示装置は、３０インチ程度の汎用的な液晶ディスプレイ装置であってもよい。この場合、利用者は、表示装置に表示された到着までの待ち時間を参照して、行先階登録装置において行先階の指定を行えばよい。あるいは、本実施形態のような行先階登録装置３０と、上記のような汎用的な表示装置とを併設してもよい。また、表示装置を例えば５０インチ程度の大型のディスプレイにすれば、利用者が、エレベータホールから離れた位置において待ち時間の目安を予め把握できる。そのため、利用者は、どのような経路を取るかを事前に判断できるので、迅速な登録操作が可能となる。また。エレベータを利用せずに階段を利用する等の判断を予め行うことが可能となり、エレベータホールへの利用者の集中を抑制することができる。
【０１２６】
前記実施形態では、行先階登録装置３０の制御部３１は、平均待ち時間ＡＷＴ（ｉ，ｊ）を１５秒未満、１５〜３０秒、３０〜４５秒、４５〜６０秒、６０秒以上の５段階に区分し、属する区分に応じた態様で待ち時間を表示する。しかし、行先階登録装置３０の制御部３１は、平均待ち時間ＡＷＴ（ｉ，ｊ）を４段階以下、または６段階以上の所定の数に区分し、属する区分に応じた態様で待ち時間を表示してもよい。
【０１２７】
あるいは、行先階登録装置３０の制御部３１は、平均待ち時間ＡＷＴ（ｉ，ｊ）に応じて、段階的でなく連続的に表示態様を変更してもよい。例えば、実施形態１において、階床ボタンの濃度を連続的に変化させてもよい。また、実施形態４において、階床表示ボックスの濃度を連続的に変化させてもよい。また、実施形態５において、階床に対応する棒グラフの長さを連続的に変化させてもよい。
【０１２８】
あるいは、行先階登録装置３０の制御部３１は、平均待ち時間ＡＷＴ（ｉ，ｊ）そのものの値を実施形態２のように数字で表示してもよい。あるいは、待ち時間ＷＴ（ｔ，ｉ，ｊ）そのものの値を表示してもよい。
【０１２９】
前記実施形態では、制御部１１、３１、４１は、ＣＰＵ、ＭＰＵ等を利用して構成され、記憶部１２、３２、４２から読み出したプログラムに基づいて種々のデータ等を利用して演算処理を行うことにより、各種の機能を実現している。つまり、各制御部１１、３１、４１は、ハードウェアとソフトウェアとの協働により実現されている。しかし、各制御部１１、３１、４１は、例えば、ハードウェア（電子回路）のみ、ＦＰＧＡ、ＡＳＩＣ等を利用して構成してもよい。
【符号の説明】
【０１３０】
１０  群管理制御装置
１１  制御部
１２  記憶部
１３  入出力インタフェース
３０  行先階登録装置
３１  制御部
３２  記憶部
３３  入出力インタフェース
３４  表示部
３５  操作部
４０、４０Ａ〜４０Ｃ  エレベータ制御装置
４１  制御部
４２  記憶部
４３  入出力インタフェース
６０、６０Ａ〜６０Ｃ  エレベータ
【図１】
0006597454.tif 000002
【図２】
0006597454.tif 000003
【図３】
0006597454.tif 000004
【図４】
0006597454.tif 000005
【図５】
0006597454.tif 000006
【図６】
0006597454.tif 000007
【図７】
0006597454.tif 000008
【図８】
0006597454.tif 000009
【図９】
0006597454.tif 000010
【図１０】
0006597454.tif 000011
【図１１】
0006597454.tif 000012
【図１２】
0006597454.tif 000013